(57)【特許請求の範囲】
【請求項１】
左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させ、この中間の門柱を左右半体に２分割すると共に左右半体をヒンジ部により回動自在に連結し、左右半体にそれぞれ門扉の端部を支持する門扉支持部を設けて成ることを特徴とする門の構造。
【請求項２】
左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させ、中間の門柱に左右の門扉の端部をそれぞれ支持する門扉支持部を回動可能に取付けると共に門扉支持部を中間の門柱に対して任意の回動角度で固定するための固定手段を設けて成ることを特徴とする門の構造。
【請求項３】
左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させ、中間の門柱の両側面にそれぞれ上下に対向する支持片を突設し、両側の上下の支持片間にそれぞれ左右の門扉の端部を支持する門扉支持部を水平面で回動自在に配置すると共に門扉支持部の任意の回動位置において上下の支持片に門扉支持部を固定するための固定手段を設けて成ることを特徴とする門の構造。
【請求項４】
左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させ、中間の門柱の両側部に突部を突設すると共に該突部の先端部に左右の門扉の端部をそれぞれ支持する円形断面の垂直な縦棒よりなる門扉支持部を取付けて成ることを特徴とする門の構造。
【発明の詳細な説明】
【０００１】
【発明の属する技術分野】
本発明は、左右両側の門柱と、中間の門柱と、左右両側の門柱にそれぞれ回動自在に取付けられる左右の門扉とで構成する門の構造に関するものである。
【０００２】
【従来の技術】
従来の門は左右両側の門柱と、左右の門柱間に門扉を配置したものであり、門扉を閉じた状態で左右の門柱を結ぶ線上に門扉が位置するようになっている。すなわち、門扉を閉じた状態では左右の門柱、門扉が一直線上に並んで位置している。
【０００３】
そして、通常は左右の門柱は敷地の外端部の道路との境界部分に配設され、しかも左右の門柱を結ぶ線が道路と平行となっている。このため、外から門扉を開閉したり、あるいは訪問者が門扉の前に立って門柱に設けたインターホンなどを用いて要件を話したりする場合、屋外から門扉を開閉操作する人や門扉の前に立ってインターホンなどを用いて要件を話す人は左右の門柱を結んだ線よりも道路側に立って上記門扉を開ける操作やインターホンを使用する動作を行うものである。このため、門柱が道路に隣接して立っていると門扉の外に立つ人は道路にはみ出して立って上記操作を行う必要があり、自動車などが道路を走行することを考えれば危険である。
【０００４】
このため、従来にあっては、道路との境界よりも一定長さ敷地内に引き込んだ位置に左右の門柱を立設し、左右の門柱を結ぶ線と道路との間に人が立つことができる平面視長方形状をしたスペースを形成するようにしているが、これだと左右の門柱を敷地内に一定長さ引き込んで立設するため、門扉の外側において平面視長方形をした人が立つスペースが形成されるため、敷地内における有効利用面積が少なくなってしまうという問題がある。
【０００５】
そこで、本発明者は、本発明に至る過程で、左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させ、これにより、両門扉の外側に平面視略三角形状をした人が立つスペースを形成できて、敷地内をより有効に利用できるようにすることを考えた。
【０００６】
しかしながら、この場合、左右両側の門柱と中間の門柱とを結ぶ線のなす角度が変わった場合、中間の門柱に設ける左右の門扉の端部を支持する戸当たりやラッチ受けなどの門扉支持部の向きがその都度異なり、したがって、中間の門柱として両側の門扉支持部の取付け角度の異なるものを多種類用意する必要があることが判明した。
【０００７】
【発明が解決しようとする課題】
本発明は上記の点に鑑みてなされたものであり、簡単な構成で両門扉の外方に平面視略三角形状をした人が立つスペースを形成できて、敷地内をより有効に利用できき、また、左右両側の門柱と中間の門柱とを結ぶ線のなす角度が変わっても簡単な構成で中間の門柱に設ける左右の門扉の端部を支持する門扉支持部で確実に門扉の端部を支持することができる門の構造を提供することを課題とするものである。
【０００８】
【課題を解決するための手段】
上記課題を解決するために本発明に係る門の構造は、左右両側の門柱１ａ、１ｂと、中間の門柱１ｃと、左右両側の門柱１ａ、１ｂにそれぞれ回動自在に取付けられる左右の門扉２ａ、２ｂとで構成し、中間の門柱１ｃを左右両側の門柱１ａ、１ｂを結ぶ線Ｍよりも敷地５内側に引き込んで位置させ、この中間の門柱１ｃを左右半体３ａ、３ｂに２分割すると共に左右半体３ａ、３ｂをヒンジ部６により回動自在に連結し、左右半体３ａ、３ｂにそれぞれ門扉２ａ、２ｂの端部を支持する門扉支持部４を設けて成ることを特徴とするものである。このような構成とすることで、左右両側の門柱１ａ、１ｂと中間の門柱１ｃとを結ぶ線Ｎ１、Ｎ２のなす角度が変わってもヒンジ部６で左右半体３ａ、３ｂを回動して左右半体３ａ、３ｂに設けた左右の門扉支持部４の向きを変えることで、左右の門扉２ａ、２ｂの端部をそれぞれ門扉支持部４で確実に支持することが可能となるものである。
【０００９】
また、左右両側の門柱１ａ、１ｂと、中間の門柱１ｃと、左右両側の門柱１ａ、１ｂにそれぞれ回動自在に取付けられる左右の門扉２ａ、２ｂとで構成し、中間の門柱１ｃを左右両側の門柱１ａ、１ｂを結ぶ線Ｍよりも敷地５内側に引き込んで位置させ、中間の門柱１ｃに左右の門扉２ａ、２ｂの端部を支持する門扉支持部４をそれぞれ回動可能に取付けると共に門扉支持部４を中間の門柱１ｃに対して任意の回動角度で固定するための固定手段７を設けて成ることを特徴とするものであってもよい。これにより、左右両側の門柱１ａ、１ｂと中間の門柱１ｃとを結ぶ線Ｎ１、Ｎ２のなす角度が変わっても、中間の門柱１ｃに対して左右の門扉２ａ、２ｂを支持するための門扉支持部４を回動させて門扉支持部４の向きを調整して固定手段７で固定することで、左右の門扉２ａ、２ｂの端部をそれぞれ門扉支持部４で確実に支持することが可能となるものである。
【００１０】
また、左右両側の門柱１ａ、１ｂと、中間の門柱１ｃと、左右両側の門柱１ａ、１ｂにそれぞれ回動自在に取付けられる左右の門扉２ａ、２ｂとで構成し、中間の門柱１ｃを左右両側の門柱１ａ、１ｂを結ぶ線Ｍよりも敷地５内側に引き込んで位置させ、中間の門柱１ｂの両側面にそれぞれ上下に対向する支持片８を突設し、両側の上下の支持片８間にそれぞれ左右の門扉２ａ、２ｂの端部を支持する門扉支持部４を水平面で回動自在に配置すると共に門扉支持部４の任意の回動位置において上下の支持片８に門扉支持部４を固定するための固定手段９を設けて成ることを特徴とするものであってもよい。このような構成とすることで、左右両側の門柱１ａ、１ｂと中間の門柱１ｃとを結ぶ線Ｎ１、Ｎ２のなす角度が変わっても、支持片８に対して門扉支持部４を回動して向きを調整して固定手段９で固定することで、左右の門扉２ａ、２ｂの端部をそれぞれ門扉支持部４で確実に支持することが可能となるものである。
【００１１】
また、左右両側の門柱１ａ、１ｂと、中間の門柱１ｃと、左右両側の門柱１ａ、１ｂにそれぞれ回動自在に取付けられる左右の門扉２ａ、２ｂとで構成し、中間の門柱１ｃを左右両側の門柱１ａ、１ｂを結ぶ線Ｍよりも敷地５内側に引き込んで位置させ、中間の門柱１ｂｃの両側部に突部１０を突設すると共に該突部１０の先端部に左右の門扉２ａ、２ｂの端部をそれぞれ支持する円形断面の垂直な縦棒４ｂよりなる門扉支持部４を取付けて成ることを特徴とするものであってもよい。このような構成とすることで、円形断面の垂直な縦棒４ｂにより門扉支持部４が構成してあるので、左右両側の門柱１ａ、１ｂと中間の門柱１ｃとを結ぶ線Ｎ１、Ｎ２のなす角度が変わっても左右の門扉２ａ、２ｂに対する円形断面の垂直な縦棒４ｂよりなる門扉支持部４の向きは変わらないものであって、左右の門扉２ａ、２ｂの端部をそれぞれ門扉支持部４で確実に支持することが可能となるものである。
【００１２】
【発明の実施の形態】
以下、本発明を添付図面に示す実施形態に基づいて説明する。
【００１３】
本発明の門は左右両側の門柱１ａ、１ｂと、中間の門柱１ｃと、左右両側の門柱１ａ、１ｂにそれぞれ回動自在に取付けられる左右の門扉２ａ、２ｂとで構成してあり、中間の門柱１ｃを左右両側の門柱１ａ、１ｂを結ぶ線Ｍよりも敷地５内側に引き込んで位置させてある。つまり、左右の門扉２ａ、２ｂを閉じた状態で左右の門扉２ａ、２ｂと中間の門柱１ｃにより中間の門柱１ｃを頂点とした平面視略へ字状形状をしていて、左右の門柱１ａ、１ｂを結ぶ線Ｍと、左右の門柱１ａ、１ｂと中間の門柱１ｃとをそれぞれ結ぶ線Ｎ１、Ｎ２とに囲まれた部分（左右の門扉２ａ、２ｂの外方）に平面視三角形状をした人が立つことができるスペースＳが形成されるものである。
【００１４】
左右の門柱１ａ、１ｂにはそれぞれ左右の門扉２ａ、２ｂを回動自在に取付けてあり、中間の門柱１ｃの両側にはそれぞれ上記左右の門扉２ａ、２ｂを閉じた際に左右の門扉２ａ、２ｂの各端部を支持するための門扉支持部４を設けてある。そして、本発明においては左右両側の門柱１ａ、１ｂと中間の門柱１ｃとをそれぞれ結ぶ線Ｎ１、Ｎ２のなす角度αが現場毎に異なっても、左右の門扉２ａ、２ｂを閉じた際に中間の門柱１ｃの両側に設けた門扉支持部４で確実かつ収まり良く支持できるようにすることに本発明の特徴がある。
【００１５】
左右の門柱１ａ、１ｂに左右の門扉２ａを回動自在に取付けるには例えば図３乃至図５に示すようにして取付けてある。以下の説明では門柱１ａに門扉２ａを取付ける例で説明するが、門柱１ｂへの門扉２ｂの取付けも同様にして行う。
【００１６】
門柱１ａは金属製で断面円状をしている。この門柱１ａには図３乃至図５に示すように上部と下部とにそれぞれヒンジ部材１２が取付けられる。
【００１７】
ヒンジ部材１２は、門柱１ａに対して周方向に位置調整自在に被嵌されると共に固定手段１３で門柱１ａに固定される環状部１４と、該環状部１４の周方向の一部から縦方向に突設したヒンジピン１５とからなるものである。
【００１８】
添付図面に示す実施形態では、環状部１４とヒンジピン１５とからなるヒンジ部材１２は、図５に示すように２つの半円状部１６（１６ａ、１６ｂ）の一端部同士を枢支軸部２０により回動自在に枢支すると共に２つの半円状部１６ａ、１６ｂの他端部同士を固定手段１３であるねじ具１７で連結して環状部１４を構成し、一方の半円状部１６ａの一部に外側方に突出した膨出部１６ｃに縦方向にヒンジピン１５を突設したものである。
【００１９】
２つの半円状部１６のうち一方の半円状部１６ａには雌ねじ孔１８が設けてあり、他方の半円状部１６ｂには挿入孔１９が設けてあり、２つの半円状部１６を枢支軸部２０を中心にして開いた状態で断面円状の門柱１ａに被嵌し、その後、２つの半円状部１６を枢支軸部２０を中心にして閉じることで、上記挿入孔１９と雌ねじ孔１８とが連通し、この状態で挿入孔１９から固定手段であるねじ具１７を挿入して雌ねじ孔１８に螺合することで２つの半円状部１６ａ、１６ｂの他端部同士を連結すると共にねじ具１７の締め付けにより門柱１ａに半円状部１６ａ、１６ｂを強く圧着させ、これによりヒンジ部材１２の半円状部１６を門柱１ａに固定するものである。この場合、雌ねじ孔１８を貫通孔としてねじ具１７の先端を門柱１ａに圧接させることで更に強固に環状部１４を門柱１ａに取付けることができる。
【００２０】
断面円状をした門柱１ａの外周面には周方向に連続して凹凸となった外周凹凸部２１が設けてあり、環状部１４の内周面に周方向に連続して凹凸となった又は周方向の一部において連続した凹凸となった内周凹凸部２２を設けてある。そして、上記のようにねじ具１７を締付けると円柱１ａの外周凹凸部２１に環状部１４の内周凹凸部２２が係合してヒンジ部材１２が円柱１ａに対して回転するのを防止するようになっている。
【００２１】
門柱１ａのヒンジ部材１２を取付けた部分以外の部分の外周部には筒状をしたカバー部材２３を被嵌するようになっている。カバー部材２３としては、門柱１ａの上下のヒンジ部材１２間の部分に被嵌する中央カバー部材２３ａと、門柱１ａの上のヒンジ部材１２の上方の部分及び下のヒンジ部材１２の下方の部分にそれぞれ被嵌する端部カバー部材２３ｂとがある。ここで、上下の端部カバー部材２３ｂは上方又は下方に抜けるのを防止するため、任意の固定手段により門柱１ａに固定するのであるが、例えば、無理嵌め、ねじ等が採用できる。
【００２２】
カバー部材２３としては、色や材料の異なるもの、あるいは外面形状の異なるものを複数種類用意し、顧客の好みに応じて選択して門柱１ａに取付けることで、共通の門柱１ａを利用して多様な外観とすることができる。外面形状の異なるものの例としては外周面が円となったものだけでなく、外周面が四角形のような多角形状のものとすることができる。
【００２３】
上記のような構成のヒンジ部材１２付きの門柱１ａを現場で施工した後に、ヒンジピン１５に門扉２ａの端部に設けたひじ壺２４を回動自在に嵌め込むことで、門扉２ａをヒンジピン１５に回動自在に取付けるものである。
【００２４】
同様にして構成したヒンジ部材１２付きの門柱１ｂを現場で施工し、その後、ヒンジピン１５に門扉２ｂの端部に設けたひじ壺２４を回動自在に嵌め込むことで、門扉２ｂをヒンジピン１５に回動自在に取付けるものである。
【００２５】
一方、中間の門柱１ｃは前述のように左右両側の門柱１ａ、１ｂを結ぶ線Ｍよりも敷地５内側に引き込んだ位置に立設するので、上記左右の門柱１ａ、１ｂにそれぞれ設けたヒンジピン１５を設けた膨出部１６ｃの突出方向が平面視において中間の門柱１ｃ側に向くように調整する必要がある。このため、ねじ具１７を緩め又はねじ具１７を取付けない状態で２つの半円状部１６よりなる環状部１４を開いて門柱１ａ（１ｂ）に対して周方向に環状部１４を回動して平面視におけるヒンジピン１５を設けた膨出部１６ｃの突出方向の調整を行うものであり、調整が終わるとねじ具１７を締め付けることで、ヒンジ部材１２を門柱１ａ（１ｂ）に固定するものである。
【００２６】
図１、図２に示す実施形態においては中間の門柱１ｃは図６に示すように左右半体３ａ、３ｂに２分割してあり、２分割した左右半体３ａ、３ｂをヒンジ部６により回動自在に連結してある。左右半体３ａ、３ｂの各側面部にはそれぞれ門扉２ａ、２ｂの端部を支持する門扉支持部４が設けてある。また、左右半体３ａ、３ｂの上端部にはキャップ４０が被嵌してある。図１、図２に示す実施形態においては門扉支持部４としてラッチ受け４ａの例が示してある。そして、中間の門柱１ｃを左右両側の門柱１ａ、１ｂを結ぶ線Ｍよりも敷地５内側に引き込んだ位置に立設する際に、ヒンジ部６を中心にして左右半体３ａ、３ｂを回動して左右半体３ａ、３ｂのなす角度を調整し、左右半体３ａ、３ｂの側面部に設けた門扉支持部４がそれぞれ左右の門柱１ａ、１ｂ側に向けた状態で中間の門柱１ｃを建て込むものである。
【００２７】
これにより図１、図２に示すように左右両側の門柱１ａ、１ｂと中間の門柱１ｃとをそれぞれ結ぶ線Ｎ１、Ｎ２のなす角度αが現場毎に異なっても、左右の門柱１ａ、１ｂに回動自在に取付けた左右の門扉２ａ、２ｂを閉じた際に左右の門扉２ａ、２ｂの端部をそれぞれ門扉支持部４により支持することができる。図１、図２に示す実施形態では左右の門扉２ａ、２ｂの端部に外方向に突出自在なラッチ２５を設けてあり、左右の門扉２ａ、２ｂを閉じた際にラッチ２５がそれぞれ門扉支持部４を構成するラッチ受け４ａにはめ込まれて支持され、左右の門扉２ａ、２ｂの閉状態をそれぞれ保持するようになっている。
【００２８】
図１、図２に示す実施形態では中間の門柱１ｃの形状を平面視円形状としたが、図７（ａ）に示すように平面視四角形状、あるいは図７（ｂ）に示すように平面視四角形状以外の他の多角形状であってもよい。
【００２９】
図８乃至図１０には本発明の他の実施形態が示してある。本実施形態において中間の門柱１ｃが異なるのみで他の構成は前述の実施形態と同じなので重複する構成の説明は省略する。
【００３０】
本実施形態においては、中間の門柱１ｃは金属製で断面円状をしている。この門柱１ｃには２つの門扉支持部４が回動可能に取付けてある。すなわち、中間の門柱１ｃに回動可能に被嵌したＣ字状をしたバンド金具２６に門扉支持部４が固着してあり、Ｃ字状をしたバンド金具２６の両端部にはねじ具挿入孔２７が設けてあり、対向するねじ具挿入孔２７にねじ具２８を挿入し、ねじ具２８の先端部にナット２９を螺合してある。上記ねじ具２８とナット２９により門扉支持部４を中間の門柱１ｃに対して任意の回動角度で固定するための固定手段７を構成している。
【００３１】
そして、本実施形態においてはナット２９による締結を緩めた状態でバンド金具２６を中間の門柱１ｃに対して回動することで平面視における中間の門柱２ｃに対する門扉支持部４の向きを調整することができるようになっている。
【００３２】
したがって、本実施形態においては、中間の門柱１ｃを現場で左右の門柱１ａ、１ｂを結ぶ線Ｍよりも敷地５内に引き込んだ位置に立設するように施工した後に、中間の門柱１ｃに設けた２つの門扉支持部４の向きを調整してそれぞれ左右の門柱１ａ、１ｂ側に向け、この状態でナット２９を締め付けて固定する。
【００３３】
これにより図８、図９に示すように、左右両側の門柱１ａ、１ｂと中間の門柱１ｃとをそれぞれ結ぶ線Ｎ１、Ｎ２のなす角度αが現場毎に異なっても、左右の門柱１ａ、１ｂに回動自在に取付けた左右の門扉２ａ、２ｂを閉じた際に左右の門扉２ａ、２ｂの端部をそれぞれ門扉支持部４により支持することができる。図８乃至図１０に示す実施形態では左右の門扉２ａ、２ｂの端部にラッチ２５を設けてあり、左右の門扉２ａ、２ｂを閉じた際にラッチ２５がそれぞれ門扉支持部４を構成するラッチ受け４ａに支持されて、左右の門扉２ａ、２ｂの閉状態をそれぞれ保持するようになっている。
【００３４】
図１１乃至図１４には本発明の他の実施形態が示してある。本実施形態において中間の門柱１ｃが異なるのみで他の構成は前述の実施形態と同じなので重複する構成の説明は省略する。
【００３５】
本実施形態においては、中間の門柱１ｂの両側面にそれぞれ上下に対向する支持片８を突設してある。この両側の上下の支持片８間にそれぞれ左右の門扉２ａ、２ｂの端部を支持する門扉支持部４を水平面で回動自在に配置してあり、上下の支持片８に設けた孔３０から挿入した固定手段９を構成するねじ具３１を門扉支持部４の上下端部に設けたねじ孔（図示せず）に螺入してある。ここでねじ具３１を緩めると門扉支持部４が支持片８に対して水平面で回動自在となっていて
平面視における中間の門柱２ｃに対する門扉支持部４の向きを調整することができるようになっており、ねじ具３１を締め付けるとねじ具３１の頭部が支持片８を押圧すると共に支持片８が門扉支持部４の上下端面を押圧して門扉支持部４が回動できないようになっている。
【００３６】
したがって、本実施形態においては、中間の門柱１ｃを現場で左右の門柱１ａ、１ｂを結ぶ線Ｍよりも敷地５内に引き込んだ位置に立設するように施工した後に、中間の門柱１ｃに設けた２つの門扉支持部４の向きを調整して（ねじ具３１を緩めた状態で調整して）それぞれ左右の門柱１ａ、１ｂ側に向け、この状態でねじ具３１を締め付けて固定する。
【００３７】
これにより図１１、図１２に示すように左右両側の門柱１ａ、１ｂと中間の門柱１ｃとをそれぞれ結ぶ線Ｎ１、Ｎ２のなす角度αが現場毎に異なっても、左右の門柱１ａ、１ｂに回動自在に取付けた左右の門扉２ａ、２ｂを閉じた際に左右の門扉２ａ、２ｂの端部をそれぞれ門扉支持部４により支持することができる。図１１、図１２の実施形態では左右の門扉２ａ、２ｂの端部にラッチ２５を設けてあり、左右の門扉２ａ、２ｂを閉じた際にラッチ２５がそれぞれ門扉支持部４を構成するラッチ受け４ａに支持されて、左右の門扉２ａ、２ｂの閉状態をそれぞれ保持するようになっている。
【００３８】
なお、本実施形態において中間の門柱１ｃは図１３のような断面円形、あるいは図１４のような断面四角形状、あるいは図示を省略しているが断面四角以外の多角形状のいずれであってもよい。
【００３９】
図１５乃至図１７には本発明の更に他の実施形態が示してある。本実施形態において中間の門柱１ｃ、左右の門扉２ａ、２ｂが異なるのみで他の構成は前述の実施形態と同じなので重複する構成の説明は省略する。
【００４０】
本実施形態においては、図１７に示すように中間の門柱１ｃの両側部に上下一対の突部１０をそれぞれ突設してあり、両側部に位置する上下一対の突部１０の先端部間にそれぞれ円形断面をした垂直な縦棒４ｂよりなる門扉支持部４が架設してある。
【００４１】
左右の門扉２ａ（２ｂ）の端部には図１７に示すように表裏面部にそれぞれ把手３２が回動自在に取付けてある。この表裏面部の把手３２は一方の把手３２を回動することで他方の把手３２が一体となって回動するように構成してある。
【００４２】
両把手３２の先端部にはそれぞれ挟持片３４が設けてあり、把手３２を水平姿勢にした状態で挟持片３４が水平姿勢で且つ門扉２ａ（２ｂ）の先端面よりも突出するようになっており、把手３２を回動することで挟持片３４が水平姿勢から門扉２ａ（２ｂ）の先端面よりも引き込む位置まで回動できるようになっている。
【００４３】
しかして、門扉２ａ（２ｂ）を閉じた状態で、把手３２を回動して表裏の把手３２の先端部に設けた挟持片３４を回動してそれぞれ中間の門柱１ｃの両側に設けた垂直な縦棒４ｂの前後に位置させて図１５乃至図１７のようにして両挟持片３４により縦棒４ｂを前後から挟持することで、門扉２ａ（２ｂ）を閉じた状態を保持するようになっている。つまり、縦棒４ｂにより門扉２ａ（２ｂ）の端部に設けた挟持片３４を支持するようになっている。
【００４４】
この場合、垂直な縦棒４ｂが円形断面をしているので、左右両側の門柱１ａ、１ｂと中間の門柱１ｃとを結ぶ線Ｎ１、Ｎ２のなす角度αが変わっても左右の門扉２ａ、２ｂに対する円形断面の垂直な縦棒４ｂよりなる門扉支持部４の向きは変わらないものであって、左右の門扉２ａ、２ｂの端部をそれぞれ門扉支持部４で確実に支持することが可能となるものである。つまり、図１５や図１６のように左右両側の門柱１ａ、１ｂと中間の門柱１ｃとを結ぶ線Ｎ１、Ｎ２のなす角度αが異なる場合に、いずれも同じようにして両挟持片３４により円形断面の垂直な縦棒４ｂを前後から挟持することができるものである。
【００４５】
ところで、本発明において門扉２ａ（２ｂ）の端部を支持する門扉支持部４としては上記した門扉２ａ（２ｂ）に設けたラッチ２５をはめ込んで支持するためのラッチ受け４ａや、門扉２ａ（２ｂ）の端部に設けた一対の挟持片３４で挟持して支持するための円形断面の垂直な縦棒４ｂのみに限定されるものではなく、門扉支持部４が門扉２ａ（２ｂ）を閉じた際に門扉２ａ（２ｂ）の端部が当たって支持する戸当たり部材、あるいはその他の門扉２ａ（２ｂ）を閉じた際に門扉２ａ（２ｂ）の端部を支持する種々のものであってもよいものである。
【００４６】
【発明の効果】
上記のように本発明の請求項１記載の発明にあっては、左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させてあるので、簡単な構成で両門扉の外方に平面視略三角形状をした人が立つスペースを形成できて、敷地内をより有効に利用できると共に門扉を開けた場合に建物の玄関が丸見えにならないようにできるものであり、しかも、中間の門柱を左右半体に２分割すると共に左右半体をヒンジ部により回動自在に連結し、左右半体にそれぞれ門扉の端部を支持する門扉支持部を設けてあるので、簡単な構成で、左右両側の門柱と中間の門柱とを結ぶ線のなす角度が変わってもヒンジ部で左右半体を回動して左右半体に設けた左右の門扉支持部の向きを変えることで、左右の門扉の端部をそれぞれ門扉支持部で確実に支持することが可能となるものである。
【００４７】
また、請求項２記載の発明にあっては、左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させてあるので、簡単な構成で両門扉の外方に平面視略三角形状をした人が立つスペースを形成できて、敷地内をより有効に利用できると共に門扉を開けた場合に建物の玄関が丸見えにならないようにできるものであり、しかも、中間の門柱に左右の門扉の端部をそれぞれ支持する門扉支持部を回動可能に取付けると共に門扉支持部を中間の門柱に対して任意の回動角度で固定するための固定手段を設けてあるので、左右両側の門柱と中間の門柱とを結ぶ線のなす角度が変わっても、簡単な構成で中間の門柱に対して左右の門扉を支持するための門扉支持部を回動させて門扉支持部の向きを調整して固定手段で固定することで、左右の門扉の端部をそれぞれ門扉支持部で確実に支持することが可能となるものである。
【００４８】
また、請求項３記載の発明にあっては、左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させてあるので、簡単な構成で両門扉の外方に平面視略三角形状をした人が立つスペースを形成できて、敷地内をより有効に利用できると共に門扉を開けた場合に建物の玄関が丸見えにならないようにできるものであり、しかも、中間の門柱の両側面にそれぞれ上下に対向する支持片を突設し、両側の上下の支持片間にそれぞれ左右の門扉の端部を支持する門扉支持部を水平面で回動自在に配置すると共に門扉支持部の任意の回動位置において上下の支持片に門扉支持部を固定するための固定手段を設けてあるので、左右両側の門柱と中間の門柱とを結ぶ線のなす角度が変わっても、支持片に対して門扉支持部を回動して向きを調整して固定手段で固定することで、左右の門扉の端部をそれぞれ門扉支持部で確実に支持することが可能となるものである。
【００４９】
また、請求項４記載の発明にあっては、左右両側の門柱と、中間の門柱と、左右両側の門柱にそれぞれ回動自在に取付けられる左右の門扉とで構成し、中間の門柱を左右両側の門柱を結ぶ線よりも敷地内側に引き込んで位置させてあるので、簡単な構成で両門扉の外方に平面視略三角形状をした人が立つスペースを形成できて、敷地内をより有効に利用できると共に門扉を開けた場合に建物の玄関が丸見えにならないようにできるものであり、しかも、中間の門柱の両側部に突部を突設すると共に該突部の先端部に左右の門扉の端部をそれぞれ支持する円形断面の垂直な縦棒よりなる門扉支持部を取付けてあるので、円形断面の垂直な縦棒により門扉支持部が構成してあるので、左右両側の門柱と中間の門柱とを結ぶ線のなす角度が変わっても左右の門扉に対する円形断面の垂直な縦棒よりなる門扉支持部の向きは変わらないものであって、左右の門扉の端部をそれぞれ門扉支持部で確実に支持することが可能となるものである。
【図面の簡単な説明】
【図１】  本発明の一実施形態の平面図である。
【図２】  同上の左右両側の門柱と中間の門柱とを結ぶ線のなす角度が異なる場合の平面図である。
【図３】  同上のカバー部材を被嵌していない状態の左右の門柱の斜視図である。
【図４】  同上のカバー部材を被嵌した状態の左右の門柱の斜視図である。
【図５】  同上の左右の門柱へのヒンジ部材の取付け部分の断面図である。
【図６】  同上の中間の門柱の斜視図である。
【図７】  （ａ）（ｂ）は同上の中間の門柱の各例を示す平面図である。
【図８】  本発明の他の実施形態の平面図である。
【図９】  同上の左右両側の門柱と中間の門柱とを結ぶ線のなす角度が異なる場合の平面図である。
【図１０】  同上に用いる中間の門柱の斜視図である。
【図１１】  本発明の更に他の実施形態の平面図である。
【図１２】  同上の左右両側の門柱と中間の門柱とを結ぶ線のなす角度が異なる場合の平面図である。
【図１３】  同上に用いる中間の門柱の斜視図である。
【図１４】  同上に用いる中間の門柱の他の例の斜視図である。
【図１５】  本発明の更に他の実施形態の平面図である。
【図１６】  同上の左右両側の門柱と中間の門柱とを結ぶ線のなす角度が異なる場合の平面図である。
【図１７】  同上に用いる中間の門柱及び門扉の斜視図である。
【符号の説明】
１ａ  左側の門柱
１ｂ  右側の門柱
１ｃ  中間の門柱
２ａ  左側の門扉
２ｂ  右側の門扉
３ａ  左半体
３ｂ  右半体
４  門扉支持部
５  敷地
６  ヒンジ部
７  固定手段
８  支持片
９  固定手段
１０  突部
【図１】
0003912148.tif 000002
【図２】
0003912148.tif 000003
【図３】
0003912148.tif 000004
【図４】
0003912148.tif 000005
【図５】
0003912148.tif 000006
【図６】
0003912148.tif 000007
【図７】
0003912148.tif 000008
【図８】
0003912148.tif 000009
【図９】
0003912148.tif 000010
【図１０】
0003912148.tif 000011
【図１１】
0003912148.tif 000012
【図１２】
0003912148.tif 000013
【図１３】
0003912148.tif 000014
【図１４】
0003912148.tif 000015
【図１５】
0003912148.tif 000016
【図１６】
0003912148.tif 000017
【図１７】
0003912148.tif 000018